(57)【要約】【課題】撮像装置に加わった振動による撮影画像のぶれ量を撮影後すぐに確認できる撮像装置を提供する。【解決手段】撮像装置の振動が、振動検出部１０１によって検出され、この振動検出部１０１の出力に基づいて、撮影時の振動量が振動量演算部１０２によって演算される。そして振動量判断部１０３にて、上記振動量演算部１０２の出力が閾値と比較されることにより、振動レベルが判断される。上記振動量判断部１０３の判断結果に応じて、表示制御部１０４が表示手段１０５に対し、合焦位置を含む合焦領域の部分画像を表示し、また、上記閾値が、閾値変更部１０６によって変更される。【選択図】図１
2007019781.tif 000002
【特許請求の範囲】
【請求項１】
被写体の光学的な像を変換して電気的な画像信号を生成する撮像素子と、
自装置の振動を検出する振動検出手段と、
前記撮像素子で生成された画像信号に対して測距領域を設定し、前記設定した測距領域において前記生成された画像信号の合焦を行う合焦手段と、
前記振動検出手段で検出された振動が閾値より大きい場合には、少なくとも前記合焦手段で設定された測距領域を含むようにして、前記合焦された画像信号の一部を拡大して表示用画像を生成する表示制御手段と、
前記生成された表示用画像を表示する表示手段と、
を備える撮像装置。
【請求項２】
前記振動検出手段で検出された振動の閾値を変更する閾値設定部をさらに有する、
請求項１記載の撮像装置。
【請求項３】
前記表示制御手段による画像信号の拡大における拡大倍率を変更する倍率設定部をさらに有する、
請求項１記載の撮像装置。
【請求項４】
前記合焦手段は、複数の測定領域から選択して１または複数の測定領域を設定可能である、
請求項１記載の撮像装置。
【請求項５】
前記合焦手段は、複数の合焦位置に対して合焦可能であり、
前記表示制御手段は、前記複数の合焦位置で合焦された画像信号のそれぞれについて、表示用画像を生成する、
請求項１記載の撮像装置。
【請求項６】
前記表示手段は、拡大前の画像における前記拡大された表示用画像の位置を表示する、
請求項１記載の撮像装置。
【発明の詳細な説明】
【技術分野】
【０００１】
本発明は、撮像装置に関し、特に振動検出手段を有する撮像装置に関する。
【背景技術】
【０００２】
近年、撮像装置の振動を検出し、この振動を撮像装置内部で補正し、ぶれを軽減した撮影を可能にさせる撮像装置が実用化されている。
【０００３】
このような撮像装置として、撮像装置の振動を検出して撮影者にぶれの告知を行うものがある（例えば、特許文献１参照）。撮像装置の振動が振動検出部によって検出され、この振動検出部の出力に基づいて、撮影画面上における像ぶれ量が像ぶれ演算部によって演算される。そして、像ぶれレベル判断部にて、像ぶれ演算部の出力が閾値と比較されることにより、振動のレベルが判断される。そのため撮影者に対して、振動レベルの告知を行うことができる。
【特許文献１】特開２００２−１３９７６１号公報
【発明の開示】
【発明が解決しようとする課題】
【０００４】
しかしながら、この従来技術では実際に撮影された撮影画像が撮影者の許容できるレベルのぶれ量かどうかの判断はできないという問題があった。
【０００５】
そこで、本発明は、上記の問題を解決するものであり、撮影された撮影画像の合焦位置の周辺についてぶれ量の確認ができる撮像装置を提供することを目的とする。
【課題を解決するための手段】
【０００６】
上記目的を達成するために、本発明の撮像装置は、振動検出部と表示手段とを備える。振動検出部は、撮像装置に加わる振動を検出する。表示手段は、検出された振動が設定された閾値を超える場合には、撮影画像の合焦位置を含む部分画像を拡大して表示する。
【０００７】
これによって、撮影者が撮影した画像のぶれ具合を即座に確認することができる機能を有する撮像装置を提供することを目的とする。
【発明の効果】
【０００８】
以上のように本発明によれば、合焦位置を拡大して表示することによって実際に撮影した撮影画像のぶれ具合の確認を容易に行うことができる撮像装置を提供できる。
【発明を実施するための最良の形態】
【０００９】
本発明の実施の形態にかかる撮像装置は、撮影時に、振動検出手段にて振動を検出し、振動量演算部にて振動量を求める。そのとき、振動量が閾値よりも大きい場合は、合焦位置を含む合焦領域を拡大して表示することを特徴とする。
以下、本発明の実施の形態にかかる撮像装置について図１〜図７を用いて説明する。
【００１０】
図１は、本発明の実施の形態による撮像装置の基本的な構成を示すブロック図である。
【００１１】
図１において、この撮像装置は、撮影される被写体１０１と被写体を撮像する撮像素子１０２と、この撮像素子から得られる検波値から、合焦したかどうかを判断する合焦判断部１０３を持ち、撮像装置の振動を検出する振動検出部１０４と、この振動検出部１０４の出力から振動量を演算する振動量演算部１０５と、この振動量演算部１０５の出力を閾値と比較することにより、振動量を判断する振動量判断部１０６と、この振動量判断部１０６の判断結果と合焦判断部１０３の判断結果に応じて合焦位置を含む合焦領域の部分画像を表示手段１０８に表示する表示制御手段１０７とを有して構成される。
【００１２】
また、閾値変更部１０９は、上記振動量演算部１０５の出力と比較される上記閾値を変更するためのものである。
【００１３】
以上のような構成を持った撮像装置において、撮影するときの動作を、以下図２〜図６を用いて説明する。図２は、レリーズ釦を押して撮影を開始してから、合焦位置を含む合焦領域を拡大して表示するかどうかを判断するまでの動作を説明するためのフローチャートである。
【００１４】
まず、撮影者はレリーズ釦を押して撮影を開始する。その後、合焦動作を行い（Ｓ２０１）合焦した場合は合焦フラグをＯＮし（Ｓ２０２）、合焦位置を取得する（Ｓ２０３）。その後、撮影時の振動量が閾値より大きいかどうかを判別する（Ｓ２０４）。閾値よりも小さい場合は、ぶれが小さいため合焦位置の拡大表示を行わず処理を終了する。閾値よりも大きい場合は、合焦領域表示フラグをＯＮして（Ｓ２０５）処理を終了する。ここで、図３を用いて合焦領域表示フラグがＯＮの場合の処理について説明する。図３は例えば１／３０秒周期で発生する割り込みをトリガにして周期的に行われる表示タスクの動作を説明するためのフローチャートである。表示タスクでは、合焦領域表示フラグがＯＮかＯＦＦかを判別する（Ｓ３０１）。ＯＮの場合は、拡大表示制御処理（Ｓ３０２）を行い、処理を終了する。ＯＦＦの場合は、通常倍率の表示を行い、処理を終了する。
【００１５】
次に上記拡大表示制御処理について、図４、図５を用いて説明する。図４、図５は合焦位置を含む合焦領域の部分画像を表示するまでの動作を説明するためのフローチャートである。
【００１６】
まず、撮像装置が撮影直後であるかどうかをマイコンの内部処理にて判別する（Ｓ４０１）。撮像装置が撮影直後の場合は、拡大表示時間を初期化（Ｓ４０２）後、合焦フラグがＯＮかＯＦＦかを判別する（Ｓ４０３）。合焦フラグがＯＮの場合は、LCDに合焦領域を拡大表示（Ｓ４０４）して、処理を終了する。合焦フラグがＯＦＦの場合は、検波最大位置をLCDに拡大表示（Ｓ４０５）して、処理を終了する。撮像装置が撮影直後でない場合は、拡大表示時間を１加算する（Ｓ４０６）。次に、LCDに拡大された画像が、設定された時間分表示したかどうかを判別する（Ｓ４０７）。LCDに拡大された画像が、設定された時間分表示している場合は、拡大表示を解除（Ｓ４０８）し、処理を終了する。LCDに拡大された画像が設定された時間分表示していない場合は、次に拡大位置の変更要求があるかどうかを判別する（Ｓ４０９）。撮影者が十字釦を押し、拡大位置の変更要求が発生した場合は、拡大表示時間を初期化（Ｓ４１０）後、別の合焦領域を拡大表示（Ｓ４１１）し、処理を終了する。撮影者が十字釦を押さず、拡大位置の変更要求が発生しない場合は、拡大倍率の変更要求があるかどうかを判別する（Ｓ４１２）。撮影者がＴＥＬＥ釦、あるいはＷＩＤＥ釦を押し、拡大倍率の変更要求が発生する場合は、拡大表示時間を初期化（Ｓ４１３）後、拡大倍率変更処理（Ｓ４１４）を行い、処理を終了する。拡大倍率の変更要求がない場合は、処理を終了する。
【００１７】
図６は、本発明の実施の形態における撮像装置の、拡大表示倍率を変更するまでの動作を説明するためのフローチャートである。
【００１８】
まず、撮影者が指示した表示倍率変更の向きを判別する（Ｓ５０１）。撮影者が押した釦がＴＥＬＥ釦ならば拡大、ＷＩＤＥ釦ならば縮小方向に表示倍率を変更する。表示倍率変更の向きが拡大方向の場合は、表示倍率が上限に達したかどうかを判別する（Ｓ５０２）。表示倍率が上限に達していない場合は、表示倍率を１加算して（Ｓ５０３）、変更された表示倍率で、表示手段に合焦領域の拡大表示を行い（Ｓ５０４）、処理を終了する。表示倍率が上限に達した場合は、そのまま処理を終了する。また、撮影者が指示した表示倍率変更の向きが縮小方向の場合は、表示倍率が下限に達したかどうかを判別する（Ｓ５０５）。表示倍率が下限に達していない場合は、表示倍率を１減算して（Ｓ５０６）、変更された表示倍率で、表示手段に合焦領域の拡大表示を行い（Ｓ５０７）、処理を終了する。表示倍率が下限に達した場合は、そのまま処理を終了する。上記表示倍率の増減の単位および表示倍率の上下限は、例えば０．１倍ずつ増減し、最大２倍まで拡大する、というように、撮像装置毎に設定されるもので、本発明においては特に規定しない。
【００１９】
図７は、本発明の実施の形態における撮像装置の合焦時の表示例を示した図である。
【００２０】
合焦時には、合焦枠Ｓ６０１と、合焦とみなしても良い領域枠Ｓ６０２とが表示される。
【００２１】
この場合、主たる合焦領域は中央であり、それぞれ上下右に、複数の合焦領域を有している。
【００２２】
図８は、本発明の実施の形態における撮像装置の合焦領域を拡大した部分画像の表示例を示した図である。図中、右下の網掛けの四角で示される表示Ｓ７０１は、撮影された画像全体を表しており、太枠の表示Ｓ７０２は、拡大した部分画像の全体に対する位置を表示している。また点線の表示Ｓ７０３は現在拡大されている部分以外の合焦領域の位置を表示している。
【００２３】
この場合、中央の合焦領域が拡大して表示されており、例えば、十字釦の入力によって、その他の合焦領域を拡大して表示することが可能である。また、例えば、ＴＥＬＥ、ＷＩＤＥ釦の入力によって、現在表示されている合焦領域の拡大倍率を変更することが可能である。
【００２４】
以上のように、本発明の実施の形態にかかる撮像装置によれば、撮影後に合焦位置を含む合焦領域を拡大して表示することで、撮影者が、合焦位置のぶれ量を確認することができる。
【００２５】
なお、本発明の実施の形態では、撮像装置は複数の合焦位置を持つようにしたが、これには限らない。例えば、合焦位置は唯一としてもよい。また、拡大表示倍率は拡大表示中に変更可能としたが、拡大表示中以外にも変更可能としてもよい。
【００２６】
また、表示装置はＬＣＤとしたが、これには限らない。例えば有機ＥＬでもよい。
【００２７】
また、拡大表示位置の変更の手段として、十字釦を使用したが、これには限らない。
【００２８】
また、表示倍率変更の手段として、ＴＥＬＥ釦とＷＩＤＥ釦を使用したが、これには限らない。
【産業上の利用可能性】
【００２９】
本発明にかかる撮像装置は、撮影後、即座に合焦位置のぶれ量判別が可能になる。そのため、本発明は、電子スチルカメラやカメラ付き携帯電話機等で振動検出手段を有する装置に適用できる。
【図面の簡単な説明】
【００３０】
【図１】本発明の実施の形態における撮像装置の基本的な構成を示すブロック図
【図２】本発明の実施の形態における撮像装置の撮影時の動作を説明するためのフローチャート
【図３】本発明の実施の形態における撮像装置の表示タスクの動作を説明するためのフローチャート
【図４】本発明の実施の形態における撮像装置の拡大表示制御の動作を説明するためのフローチャート
【図５】本発明の実施の形態における撮像装置の拡大表示制御の動作を説明するためのフローチャート
【図６】本発明の実施の形態における撮像装置の拡大表示の倍率を変更する動作を説明するためのフローチャート
【図７】本発明の実施の形態における撮像装置の合焦時の表示例を示す図
【図８】本発明の実施の形態における撮像装置の合焦領域を拡大した部分画像の表示例を示す図
【符号の説明】
【００３１】
１０１    振動検出部
１０２    振動量演算部
１０３    振動量判断部
１０４    表示制御手段
１０５    表示手段
１０６    閾値変更部
【図１】
2007019781.tif 000003
【図２】
2007019781.tif 000004
【図３】
2007019781.tif 000005
【図４】
2007019781.tif 000006
【図５】
2007019781.tif 000007
【図６】
2007019781.tif 000008
【図７】
2007019781.tif 000009
【図８】
2007019781.tif 000010